(57)【要約】【課題】パチンコ球を用いて遊技者が遊技を行うための遊技領域が前面に形成された遊技盤が装着されて使用される形式の遊技機において、パチンコ球を発射装置から遊技領域に案内する案内通路の存在にもかかわらず遊技領域の面積を容易に拡大可能とする。【解決手段】パチンコ球を発射装置から遊技領域３２に案内する案内通路を、遊技盤３０の前面を含む基準面ＲＰＬからその遊技盤の厚さ方向にずれた位置に配置し、かつ、（ａ）基準面ＲＰＬより後側において発射装置から遊技盤の上部に向かって延びることにより、その発射装置から発射されたパチンコ球を、基準面ＲＰＬより後側の案内位置ＧＰＳにおいて案内する第１通路５６と、（ｂ）その第１通路に接続され、その第１通路によって案内されたパチンコ球を案内位置ＧＰＳから遊技盤の前面上の位置に誘導する第２通路６２とによって構成する。【選択図】　図４
2004065702.tif 000002
【特許請求の範囲】
【請求項１】
本体枠と、
その本体枠に装着され、パチンコ球を用いて遊技者が遊技を行うための遊技領域が前面に形成される遊技盤と、
前記本体枠の前側に取り付けられるガラス枠と、
そのガラス枠に装着され、前記遊技盤を前側から覆う一方、遊技者が前記遊技領域を透視できる板状のガラスと、
前記遊技領域に向かってパチンコ球を発射する発射装置と、
その発射装置から発射されたパチンコ球を、そのパチンコ球が前記遊技領域内に投入されるべき投入位置に向かい、かつ、前記遊技盤の前面を含む基準面からその遊技盤の厚さ方向にずれた案内位置において、案内する案内通路と
を含む遊技機。
【請求項２】
前記発射装置が、前記遊技盤の下側に配置され、
前記投入位置が、前記遊技盤の上部に配置され、
当該遊技機が、前記発射装置から発射されたパチンコ球が前記遊技領域内への投入前にたどる経路とその投入後にたどる経路とを互いに仕切る仕切り部材であって前記基準面上の位置を除く位置に配置されるものを含む請求項１に記載の遊技機。
【請求項３】
前記発射装置が、前記遊技盤の下側に配置され、
前記投入位置が、前記遊技盤の上部に配置され、
前記案内通路が、
（ａ）前記基準面より後側において前記発射装置から前記遊技盤の上部に向かって延びることにより、その発射装置から発射されたパチンコ球を、前記基準面より後側の位置を前記案内位置として、案内する第１通路と、
（ｂ）その第１通路に接続され、その第１通路によって案内されたパチンコ球を、前記案内位置から前記遊技盤の前面上の位置に誘導して前記投入位置に向かって案内する第２通路と
を含む請求項１または２に記載の遊技機。
【請求項４】
前記第１通路が、前記本体枠のうち前記基準面より後側の部分または前記遊技盤の後面に設けられるものである請求項３に記載の遊技機。
【請求項５】
前記第２通路が、前記本体枠に形成され、パチンコ球と接触する斜面によってそのパチンコ球の進行方向を変化させる変向通路を含む請求項３または４に記載の遊技機。
【請求項６】
前記遊技盤が、前記第１通路を通過するパチンコ球を遊技者が視認するための窓を含む請求項３ないし５のいずれかに記載の遊技機。
【請求項７】
前記発射装置が、前記遊技盤の下側に配置され、
前記投入位置が、前記遊技盤の上部に配置され、
前記ガラスが、パチンコ球の通過を許容する隙間を隔てて重なり合った２枚のガラスを含む複数枚のガラスが重なり合って構成されたものであり、
前記案内通路が、
（ａ）前記２枚のガラスの内面同士によって形成され、前記基準面より前側において前記発射装置から前記遊技盤の上部に向かって延びることにより、その発射装置から発射されたパチンコ球を、前記基準面より前側の位置を前記案内位置として、案内する第１通路と、
（ｂ）その第１通路に接続され、その第１通路によって案内されたパチンコ球を、前記案内位置から前記遊技盤の前面上の位置に誘導して前記投入位置に向かって案内する第２通路と
を含む請求項１または２に記載の遊技機。
【請求項８】
前記第２通路が、前記ガラス枠と本体枠とに跨って形成され、パチンコ球と接触する斜面によってそのパチンコ球の進行方向を変化させる変向通路を含む請求項７に記載の遊技機。
【請求項９】
前記発射装置が、パチンコ球を概して真上に発射するものであり、
前記第１通路が、その発射装置から発射されたパチンコ球を概して真直ぐに上向きに案内するものである請求項３ないし８のいずれかに記載の遊技機。
【発明の詳細な説明】
【０００１】
【発明の属する技術分野】
本発明は、パチンコ機、アレンジボール遊技機等、パチンコ球を用いて遊技者が遊技を行うための遊技領域が前面に形成された遊技盤が装着されて使用される形式の遊技機に関するものであり、特に、その遊技領域の面積を拡大する技術に関するものである。
【０００２】
【従来の技術】
上記形式の遊技機は一般に、本体枠、遊技盤、ガラス枠、板状のガラス、発射装置およびパチンコ球の案内通路を含むように構成される。
【０００３】
遊技盤は、本体枠に装着され、パチンコ球を用いて遊技者が遊技を行うための遊技領域が前面に形成されたものとされる。ガラス枠は、本体枠の前側に取り付けられる。ガラスは、そのガラス枠に装着され、遊技盤を前側から覆う一方、遊技者が遊技領域を透視できるものとされる。発射装置は、その遊技領域に向かってパチンコ球を発射するものとされる。案内通路は、発射装置から発射されたパチンコ球を遊技盤の遊技領域に向かって案内するものとされる。
【０００４】
この遊技機においては、一般に、本体枠の横寸法の大きさに制約があり、よって、遊技盤の横寸法を拡大するのに限度がある。それにもかかわらず、この遊技機においては、遊技領域の面積をできる限り拡大したいという要望がある。その理由は例えば、遊技領域の面積が広いほど、遊技盤に装着し得る遊技機器を配置する際の自由度が向上するという利点、遊技盤によって実現し得る遊技の自由度が向上するという利点などが得られるからである。
【０００５】
このような事情を背景として、特開２００１−３３４０２６号公報は、遊技領域の面積を拡大するための一従来技術を開示している。この従来技術によれば、基本的には長方形を成す遊技盤が、それの側縁において局部的に外側に張り出させられるとともに、その張出し部の前面と元の遊技盤の前面とに跨って、互いに共同して前記案内通路を形成する外ガイドレールと内ガイドレールとが取り付けられる。
【０００６】
【発明が解決しようとする課題】
前記形式の遊技機においては、既に説明したように、本体枠の横寸法が予め特定されていて、遊技盤の横寸法をそれの側縁において局部的にであれ拡大することが困難である場合が多い。
【０００７】
しかし、上記公報に記載の従来技術を採用する場合には、遊技盤の前面を含む基準面上にパチンコ球の案内通路が配置される。そのため、この従来技術を採用する場合には、パチンコ球の案内通路の存在が障害となり、遊技領域の面積を十分に拡大できない可能性がある。
【０００８】
このような事情に鑑み、本発明は、パチンコ球を発射装置から遊技領域に案内する案内通路の存在にもかかわらず遊技領域の面積を容易に拡大可能とすることを課題としてなされたものである。
【０００９】
【課題を解決するための手段および発明の効果】
本発明によって下記の各態様が得られる。各態様は、項に区分し、各項に番号を付し、必要に応じて他の項の番号を引用する形式で記載する。これは、本明細書に記載の技術的特徴のいくつかおよびそれらの組合せのいくつかの理解を容易にするためであり、本明細書に記載の技術的特徴やそれらの組合せが以下の態様に限定されると解釈されるべきではない。
【００１０】
（１）　本体枠と、
その本体枠に装着され、パチンコ球を用いて遊技者が遊技を行うための遊技領域が前面に形成される遊技盤と、
前記本体枠の前側に取り付けられるガラス枠と、
そのガラス枠に装着され、前記遊技盤を前側から覆う一方、遊技者が前記遊技領域を透視できる板状のガラスと、
前記遊技領域に向かってパチンコ球を発射する発射装置と、
その発射装置から発射されたパチンコ球を、そのパチンコ球が前記遊技領域内に投入されるべき投入位置に向かい、かつ、前記遊技盤の前面を含む基準面からその遊技盤の厚さ方向にずれた案内位置において、案内する案内通路と
を含む遊技機。
【００１１】
この遊技機によれば、発射装置から発射されたパチンコ球を遊技領域の投入位置に案内するための案内通路が、遊技盤の前面を含む基準面からその遊技盤の厚さ方向にずれた位置に配置される。
【００１２】
したがって、この遊技機によれば、遊技盤の前面上に案内通路が存在しなくなり、よって、遊技領域の面積を拡大しようとする際に案内通路の存在が前述の従来技術を採用する場合ほどには大きな障害とならずに済む。
【００１３】
その結果、この遊技機によれば、遊技領域の面積を本体枠および遊技盤の横寸法の割りに広く確保することが容易となる。
【００１４】
本項における「基準面」は、例えば、遊技盤の前面が平面である場合には、平面となる。また、「基準面」は、遊技盤の前面と、その前面をそれに沿って延長した面との双方を含んでいる。
【００１５】
また、本項における「案内位置」は、同項における「案内通路」の位置を意味しており、例えば、案内空間、案内場所または案内領域という用語に置換することが可能である。
【００１６】
（２）　前記発射装置が、前記遊技盤の下側に配置され、
前記投入位置が、前記遊技盤の上部に配置され、
当該遊技機が、前記発射装置から発射されたパチンコ球が前記遊技領域内への投入前にたどる経路とその投入後にたどる経路とを互いに仕切る仕切り部材であって前記基準面上の位置を除く位置に配置されるものを含む（１）項に記載の遊技機。
【００１７】
一般の遊技機は、発射装置が遊技盤の下側に配置され、かつ、遊技領域の投入位置が遊技盤の上部に配置される態様で実施される。この場合、パチンコ球は、発射装置から発射されて上昇した後、遊技領域内に投入され、やがて下降に転じる。
【００１８】
そして、本来であれば、パチンコ球は、遊技領域内への投入前に実際にたどる経路とその投入後に実際にたどる経路とが互いに異なるべきなのであるが、従来の遊技機においては、遊技領域内への投入前の経路と投入後の経路とがいずれも遊技盤の前面上に存在する。
【００１９】
要するに、従来の遊技機においては、それら２つの経路が同一面上に存在するのであり、そのため、遊技盤の前面上に外ガイドレールと内ガイドレールとが取り付けられる。
【００２０】
外ガイドレールは、パチンコ球を発射装置から遊技領域に向かって案内する。
【００２１】
これに対し、内ガイドレールは、外ガイドレールより内側に配置され、これにより、外ガイドレールにより案内されて遊技領域内に投入されたパチンコ球が何らかの理由によって外ガイドレールに向かって逆流しようとしても（予定に反して戻ろうとしても）、内ガイドレールによって邪魔される。
【００２２】
このように、内ガイドレールは、発射装置から発射されたパチンコ球が遊技領域内への投入前にたどる経路（領域）とその投入後にたどる経路（領域）とを互いに仕切る機能を果たす。その結果、パチンコ球の逆流が防止される。
【００２３】
このように、従来の遊技機においては、遊技盤の前面上に外ガイドレールの他に内ガイドレールも取り付けられる。そのため、それら２つのガイドレールによって規定される案内通路の面積分、遊技盤の前面を遊技領域として利用することができない。
【００２４】
これに対し、本項に係る遊技機によれば、前記（１）項に係る遊技機を実施することにより実現される事実であって、発射装置から発射されたパチンコ球が遊技領域内への投入前にたどる経路とその投入後にたどる経路とが遊技盤の厚さ方向において互いに異なる２つの面上にそれぞれ形成されるという事実を利用することにより、それら２つの経路を互いに仕切る仕切り部材が基準面上の位置を除く位置に配置される。
【００２５】
したがって、この遊技機によれば、パチンコ球の逆流を防止するための仕切り部材を基準面上に配置せずに済み、よって、仕切り部材の存在が遊技領域の面積拡大にとって大きな障害とならずに済む。
【００２６】
この遊技機における「仕切り部材」は、遊技盤等、従来の遊技機に既存の要素を利用して構成したり、新規の要素を追加して構成することが可能である。
【００２７】
（３）　前記発射装置が、前記遊技盤の下側に配置され、
前記投入位置が、前記遊技盤の上部に配置され、
前記案内通路が、
（ａ）前記基準面より後側において前記発射装置から前記遊技盤の上部に向かって延びることにより、その発射装置から発射されたパチンコ球を、前記基準面より後側の位置を前記案内位置として、案内する第１通路と、
（ｂ）その第１通路に接続され、その第１通路によって案内されたパチンコ球を、前記案内位置から前記遊技盤の前面上の位置に誘導して前記投入位置に向かって案内する第２通路と
を含む（１）または（２）項に記載の遊技機。
【００２８】
この遊技機によれば、発射装置から発射されたパチンコ球が、第１通路により、基準面上の位置より後側の案内位置において案内された後、後続する第２通路により、その案内位置から遊技盤の前面上の位置に誘導されて投入位置に向かって案内される。
【００２９】
この遊技機においては、発射装置から発射されたパチンコ球が遊技領域内への投入前にたどる経路とその投入後にたどる経路とが遊技盤によって互いに仕切られる。したがって、この遊技機においては、その遊技盤が、前記（２）項における「仕切り部材」の一例を構成しているのである。
【００３０】
本項における「第２通路」は、例えば、遊技盤を後側から前側に向かって乗り越える通路として構成したり、遊技盤をそれの厚さ方向に貫通する貫通孔を経て遊技盤を後側から前側に向かって貫通する通路として構成することが可能である。
【００３１】
（４）　前記第１通路が、前記本体枠のうち前記基準面より後側の部分または前記遊技盤の後面に設けられるものである（３）項に記載の遊技機。
【００３２】
この遊技機によれば、前記（３）項に係る遊技機における「第１通路」の具体的な一実施態様が提供される。
【００３３】
この遊技機によれば、第１通路を、本体枠のうち、遊技盤に対してそれの厚さ方向にオーバラップする部分（遊技盤を真横から投影した場合にその遊技盤に重なる部分）に配置することが可能となる。
【００３４】
（５）　前記第２通路が、前記本体枠に形成され、パチンコ球と接触する斜面によってそのパチンコ球の進行方向を変化させる変向通路を含む（３）または（４）項に記載の遊技機。
【００３５】
この遊技機によれば、前記（３）または（４）項に係る遊技機における「第２通路」の具体的な一実施態様が提供される。
【００３６】
本項における「斜面」は、一般に、球面等の規則的な曲面や、不規則な曲面として構成されるが、平面（複数の平面の組合せを含む）として構成することも可能である。
【００３７】
また、本項および下記の各項における「変向通路」は、パチンコ球の進行方向を上向きから下向きに変化させるための通路として構成したり、上向きから横向きに変化させる通路として構成することが可能である。
【００３８】
（６）　前記遊技盤が、前記第１通路を通過するパチンコ球を遊技者が視認するための窓を含む（３）ないし（５）項のいずれかに記載の遊技機。
【００３９】
この遊技機によれば、発射装置から発射されたパチンコ球が、遊技領域内に投入されるまでは、遊技盤の後側を通過するにもかかわらず、遊技盤に窓が設けられる結果、遊技者が、その窓を通して、その通過中のパチンコ球を視認することが可能となる。
【００４０】
（７）　前記発射装置が、パチンコ球を概して真上に発射するものであり、
前記第１通路が、その発射装置から発射されたパチンコ球を概して真直ぐに上向きに案内するものである（３）ないし（６）項のいずれかに記載の遊技機。
【００４１】
前記（３）ないし（６）項のいずれかに記載の遊技機は、発射装置が、パチンコ球を概して真横に発射し、かつ、第１通路が、発射装置の位置から概して真横に延びた後に湾曲して概して真上に延びる態様で実施することが可能である。
【００４２】
これに対し、本項に係る遊技機によれば、発射装置が、パチンコ球を概して真上に発射し、かつ、第１通路が、その発射装置から発射されたパチンコ球を概して真直ぐに上向きに案内する態様で実施される。
【００４３】
したがって、この遊技機によれば、第１通路の長さを短縮することが容易になるとともに、それに伴い、遊技機のうちその第１通路によって占有される空間を削減することが容易になる。
【００４４】
（８）　前記発射装置が、前記遊技盤の下側に配置され、
前記投入位置が、前記遊技盤の上部に配置され、
前記ガラスが、パチンコ球の通過を許容する隙間を隔てて重なり合った２枚のガラスを含む複数枚のガラスが重なり合って構成されたものであり、
前記案内通路が、
（ａ）前記２枚のガラスの内面同士によって形成され、前記基準面より前側において前記発射装置から前記遊技盤の上部に向かって延びることにより、その発射装置から発射されたパチンコ球を、前記基準面より前側の位置を前記案内位置として、案内する第１通路と、
（ｂ）その第１通路に接続され、その第１通路によって案内されたパチンコ球を、前記案内位置から前記遊技盤の前面上の位置に誘導して前記投入位置に向かって案内する第２通路と
を含む（１）または（２）項に記載の遊技機。
【００４５】
この遊技機によれば、発射装置から発射されたパチンコ球が、第１通路により、基準面上の位置より前側の案内位置において案内された後、後続する第２通路により、その案内位置から遊技盤の前面上の位置に誘導されて投入位置に向かって案内される。
【００４６】
この遊技機においては、発射装置から発射されたパチンコ球が遊技領域内への投入前にたどる経路とその投入後にたどる経路とが、パチンコ球の通過を許容する隙間を隔てて重なり合った２枚のガラス（以下、「２重ガラス」と総称する）のうち遊技盤に近いものによって互いに仕切られる。したがって、この遊技機においては、それら２枚のガラスのうち遊技盤に近いものが、前記（２）項における「仕切り部材」の一例を構成しているのである。
【００４７】
本項における「２枚のガラス」は、「複数枚のガラス」の枚数が３枚以上である場合には、遊技盤に最も近い位置に配置したり、遊技盤から最も遠い位置に配置したり、それらの中間の位置に配置することが可能である。
【００４８】
（９）　前記第２通路が、前記ガラス枠と本体枠とに跨って形成され、パチンコ球と接触する斜面によってそのパチンコ球の進行方向を変化させる変向通路を含む（８）項に記載の遊技機。
【００４９】
この遊技機によれば、前記（８）項に係る遊技機における「第２通路」の具体的な一実施態様が提供される。
【００５０】
（１０）　前記発射装置が、パチンコ球を概して真上に発射するものであり、
前記第１通路が、その発射装置から発射されたパチンコ球を概して真直ぐに上向きに案内するものである（８）または（９）項に記載の遊技機。
【００５１】
この遊技機によれば、前記（７）項に係る遊技機と同様な作用効果を実現することが可能である。
【００５２】
【発明の実施の形態】
以下、本発明のさらに具体的な実施の形態のいくつかを図面に基づいて詳細に説明する。
【００５３】
図１には、本発明の第１実施形態に従うパチンコ機が正面図で示されている。このパチンコ機は前記（１）項における「遊技機」の一例である。
【００５４】
このパチンコ機は、図１に示すように、本体枠１０（図２および図４参照）とガラス扉１２と前皿扉１４とを備えている。ガラス扉１２と前皿扉１４とは、それらの順に上下に並んでそれぞれ本体枠１０に開閉可能に取り付けられている。ガラス扉１２は、図１および図４に示すように、長方形の板状ガラス２０がガラス枠２２にはめ込まれて構成されている。前皿扉１４は、図１に示すように、複数のパチンコ球を収容可能な球皿２６を備えている。
【００５５】
図２に示すように、本体枠１０には遊技盤３０が着脱可能に装着される。この遊技盤３０は厚さを有し、前面上に遊技領域３２が長方形を成すように形成される。この遊技領域３２は、遊技者がパチンコ球を用いて遊技をするための領域であり、パチンコ球がその領域内に投入された後に自由に移動できる領域として定義することが可能である。
【００５６】
そして、本実施形態においては、遊技盤３０の前面を含む基準面ＲＰＬ（図４参照）上において遊技領域３２とそれの外側領域とを互いに仕切るために、図２に示すように、遊技盤３０の前面上にそれの側縁部と下縁部とにおいてレール３３が取り付けられている。
【００５７】
この遊技領域３２内には、例えば、当接によってパチンコ球の進路を変化させるくぎ３４や、当たり穴、画像表示器等、各種遊技機器が、遊技者による遊技を実現するために配置される。
【００５８】
図２に示すように、遊技盤３０はパチンコ機内においてガラス２０の後側に配置され、それにより、その遊技盤３０がガラス２０によって前側から覆われているが、図１に示すように、遊技者は、ガラス２０を通して遊技領域３２を視認することが可能である。本実施形態においては、遊技盤３０の前面全体を遊技領域３２に充てることが可能となっており、図１においては、説明の便宜上、遊技盤３０の前面の外形と、遊技領域３２の外形と、ガラス２０の外形とが互いに一致させられている。
【００５９】
このパチンコ機は、さらに、図１に示すように、発射装置４０を前皿扉１４の後側に備えている。この発射装置４０は、後述の球送り機構によって球皿２６から１個ずつ装填されるパチンコ球を概して真上に発射する垂直打上げ式とされている。この発射装置４０は、図１および図３に示すように、アクチュエータ４２によって駆動されるハンマ４６がパチンコ球を打撃することにより、パチンコ球を発射する。この発射装置４０は、パチンコ球を発射する速度を遊技者による操作ハンドル４８（図１参照）の操作加減に応じて変化させる。本実施形態においては、発射装置４０が当該パチンコ機に、ハンマ４６の駆動軸（回転軸）が遊技盤３０の厚さ方向に対して傾斜する姿勢で配置されている。
【００６０】
本実施形態においては、図１に示すように、その発射装置４０が、遊技盤３０の下側であって、遊技領域３２の一対の側縁部５０，５２のいずれか一方（本実施形態においては図１において左側の側縁部５０）に近接した位置に配置されている。
【００６１】
図１に示すように、遊技盤３０は、それの横方向に延びる上縁部５４を備えており、その上縁部５４の略全体が、パチンコ球が遊技領域３２内に投入される投入位置に充てられている。
【００６２】
図２および図３に示すように、パチンコ球のためのガイドレール５６が遊技盤３０の後面に取り付けられている。このガイドレール５６は、図１に示すように、発射装置４０からパチンコ球が発射される発射位置から概して真上に延びている。ガイドレール５６は、図４に示すように、遊技盤３０の前面を含む基準面ＲＰＬより後側の位置を案内位置ＧＰＳとしてパチンコ球を案内する機能を果たす。
【００６３】
図４に示すように、本体枠１０は、それの横方向に延びる上部５８を備えている。この上部５８には、パチンコ球の案内面６０が凹断面で形成され、この案内面６０によりパチンコ球の反転通路６２が形成される。この反転通路６２は、遊技盤３０の前面を含む基準面ＲＰＬより後側に配置され、さらに、遊技盤３０より上側に配置されている。
【００６４】
この反転通路６２は、ガイドレール５６の上端部と、基準面ＲＰＬより前側の空間とを互いに接続する。この反転通路６２は、案内面６０のうち、ガイドレール５６から放出されたパチンコ球の進路に対して傾斜する部分により、そのパチンコ球の進行方向を上向きから下向き（または斜め下向き、横向き）に反転させる。図２には、この反転通路６２を通過する際にパチンコ球が描く軌跡の一例が平面図で示されている。
【００６５】
本実施形態においては、図１ないし図３に示すように、遊技盤３０にそれを厚さ方向に貫通する窓６６が設けられている。この窓６６は、ガイドレール５６に沿って設けられている。この窓６６により、ガイドレール５６を通過するパチンコ球を遊技者が視認することが可能となり、パチンコ球が遊技盤３０の後側を通過するにもかかわらず、パチンコ球が遊技盤３０の前面上を通過する従来のパチンコ機に対する違和感を遊技者が感じずに済む。
【００６６】
この窓６６は、その開口部がガラス等の透明体によって覆われる態様で設置することが可能であるが、何によっても覆われない態様で設置することも可能である。
【００６７】
以上の説明から明らかなように、本実施形態においては、発射装置４０から発射されたパチンコ球を遊技領域３２に案内するための案内通路が、共に遊技盤３０の前面を含む基準面ＲＰＬより後側に位置するガイドレール５６と反転通路６２とによって構成され、それらのいずれも遊技盤３０の前面上に存在しない。
【００６８】
したがって、本実施形態によれば、遊技盤３０の前面上に遊技領域３２を形成しようとする際に案内通路の存在が障害にならずに済む。
【００６９】
さらに、本実施形態においては、発射装置４０から発射されたパチンコ球が遊技領域３２内に投入される前にたどる経路が遊技盤３０の後側に位置するガイドレール５６によって形成されるため、その投入前にたどる経路（領域）と、その投入後にたどる経路すなわち遊技盤３０の前面上に位置する経路（領域）とが、その遊技盤３０によって互いに仕切られる。
【００７０】
したがって、本実施形態によれば、遊技領域３２内への投入前にたどる経路に、遊技領域３２内に投入されたパチンコ球が逆流してしまう事態の発生を回避するために専用の部材を使用することが不可欠ではなくなる。すなわち、従来のパチンコ機におけるように、内ガイドレールを仕切り部材として遊技盤の前面上に設置することが不要となるのである。
【００７１】
よって、本実施形態によれば、パチンコ球の逆流を防止するための仕切り部材の存在によって遊技領域３２の面積が減少せずに済む。
【００７２】
以上の説明から明らかなように、本実施形態においては、ガイドレール５６により形成される通路と反転通路６２とが互いに共同して前記（１）項における「案内通路」の一例を構成し、遊技盤３０が前記（２）項における「仕切り部材」の一例を構成し、ガイドレール５６により形成される通路が前記（３）項における「第１通路」の一例を構成し、反転通路６２が同項における「第２通路」の一例を構成しているのである。
【００７３】
さらに、本実施形態においては、ガイドレール５６により形成される通路が前記（４）項における「第１通路」の一例を構成し、反転通路６２が前記（５）項における「変向通路」の一例を構成し、窓６６が前記（６）項における「窓」の一例を構成しているのである。
【００７４】
さらに、本実施形態においては、発射装置４０が前記（７）項における「発射装置」の一例を構成し、ガイドレール５６により形成される通路が同項における「第１通路」の一例を構成しているのである。
【００７５】
次に、本発明の第２実施形態を説明する。
【００７６】
本実施形態に従うパチンコ機は、図５に示すように、第１実施形態と同様に、本体枠１００とガラス扉１０２と前皿扉１０４と垂直打上げ式の発射装置１０６と遊技盤１０８とを備えている。ただし、ガラス扉１０２は、図６に示すように、２重ガラス１１０がガラス枠１１２にはめ込まれて構成されている。
【００７７】
なお付言すれば、本実施形態に従うパチンコ機の複数の構成要素のうち、第１実施形態と共通するものについては、下記の文章による説明および図５ないし図８において同一の符号を付して表されている。
【００７８】
この２重ガラス１１０は、２枚のガラス１１４，１１６がパチンコ球の通過を許容する隙間を隔てて互いに対向させられて構成されている。この２重ガラス１１０の内面同士により、パチンコ球の案内通路１１１が形成されているのである。図５および図７に示すように、この２重ガラス１１０の真下に発射装置１０６が配置されていて、パチンコ球を概して真上に発射して２重ガラス１１０内の案内通路１１１に進入させる。
【００７９】
パチンコ球は、発射装置１０６からの発射後、図６に示すように、２重ガラス１１０の隙間内を、ガラス枠１１２のうちの一対の側部のうち発射装置１０６に近い側部の内面に沿って上昇させられる。
【００８０】
したがって、本実施形態においては、ガラス枠１１２のうち該当する側部が、２重ガラス１１０を保持する機能と同時に、パチンコ球を案内する機能を果たすと考えることが可能である。よって、本実施形態においては、パチンコ球の案内通路１１１が、２重ガラス１１０の内面同士とガラス枠１１２のうち該当する側部の内面との共同によって構成されていると考えることが可能である。
【００８１】
２重ガラス１１０のうち前側ガラス１１４は、図６および図８に示すように、それの上縁部と一対の側縁部と後述の底板１２４とにおいてそれぞれガラス枠１１２に取り付けられている。これに対し、２重ガラス１１０のうち後側ガラス１１６は、図６に示すように、それの一対の側縁部と後述の底板１２４とにおいてはガラス枠１１２に取り付けられる一方、図８に示すように、上縁部においてはガラス枠１１２に取り付けられていない。
【００８２】
したがって、２重ガラス１１０は、それの上縁部においては開放される一方、一対の側縁部においては閉塞されている。
【００８３】
本実施形態においては、遊技盤１０８の前面上に全体的に遊技領域１１８が形成されている。そして、発射装置１０６から発射されたパチンコ球は、その遊技領域１１８内に投入されるが、その投入位置が遊技盤１０８の上縁部１２０の略全体に配置されている。
【００８４】
２重ガラス１１０の下縁部は、図５に示すように、底板１２４によって閉塞されているが、その底板１２４は、図７に示すように、パチンコ球が発射装置１０６から２重ガラス１１０の隙間内に進入する際にパチンコ球が通過する位置において局部的に開放されている。
【００８５】
図７において符号１２８は、第１実施形態と同様な球送り機構における可動部を示している。この可動部１２８は、発射装置１０６と同期して作動させられることにより、パチンコ球を球皿２６から発射装置１０６に１個ずつ装填する。
【００８６】
図５および図８に示すように、ガラス枠１１２は、それの横方向に延びる上部１３２を有し、また、本体枠１００も同様に、それの横方向に延びる上部１３４を有している。ガラス枠１１２は上部１３２において前側ガラス１１４の上縁部をはめ込み、また、本体枠１００は上部１３４において遊技盤１０８の上縁部１２０をはめ込んでいる。
【００８７】
図８に示すように、それらガラス枠１１２の上部１３２と本体枠１００の上部１３４とに跨って案内面１４０が形成されている。この案内面１４０は凹断面で、かつ、図５に示すように、パチンコ機の横方向に、遊技盤１０８の上縁部１２０の略全体にわたって延びている。
【００８８】
この案内面１４０により、２重ガラス１１０の隙間内を上昇してきたパチンコ球の進行方向を上向きから下向き（または斜め下向き、横向き）に反転させる反転通路１４１が形成される。この反転に伴い、パチンコ球は、２重ガラス１１０の隙間の位置から遊技盤１０８の前面上の位置に誘導される。パチンコ球はその後、遊技盤１０８の遊技領域１１８内に投入される。
【００８９】
本実施形態においては、発射装置１０６から発射されたパチンコ球がまず２重ガラス１１０の隙間内に進入し、その後、本来であれば、図８に示すように、その２重ガラス１１０の上縁部を乗り越えて遊技領域１１８内に投入されるはずである。
【００９０】
しかし、２重ガラス１１０の隙間内を通過するパチンコ球の速度が不足すると、２重ガラス１１０を乗り越えることができずに、同じ隙間内を落下することになる。ファール球が発生するのであり、このファール球を捕捉して所定位置に誘導するために、底板１２４には、図５に示すように、適当な傾斜面１４４と出口１４６とが形成されている。そのファール球は、それら傾斜面１４４および出口１４６を経て前記球皿２６に戻る。
【００９１】
以上の説明から明らかなように、本実施形態においては、発射装置１０６から発射されたパチンコ球を遊技領域１１８に案内するための案内通路１１１が、少なくとも、遊技盤１０８の前面上の位置より前側に位置する２重ガラス１１０によって構成され、その案内通路１１１は遊技盤１０８の前面上に存在しない。
【００９２】
したがって、本実施形態によれば、遊技盤１０８の前面上に遊技領域１１８を形成しようとする際に案内通路の存在が障害にならずに済む。
【００９３】
さらに、本実施形態においては、発射装置１０６から発射されたパチンコ球が遊技領域１１８内に投入される前にたどる経路（領域）が２重ガラス１１０によって形成されるため、その投入前にたどる経路（領域）と、その投入後にたどる経路すなわち遊技盤１０８の前面上に位置する経路（領域）とが、その２重ガラス１１０のうちの後側ガラス１１６すなわち遊技盤１０８に近い後側ガラス１１６によって互いに仕切られる。
【００９４】
したがって、本実施形態によれば、２重ガラス１１０を乗り越えた後に、その乗り越えたパチンコ球が遊技領域１１８内への投入前にたどる経路に逆流してしまう事態の発生を回避するために専用の部材を使用することが不可欠ではなくなる。すなわち、従来のパチンコ機におけるように、内ガイドレールを仕切り部材として遊技盤の前面上に設置することが不要となるのである。
【００９５】
よって、本実施形態によれば、パチンコ球の逆流を防止するための仕切り部材の存在によって遊技領域１１８の面積が減少せずに済む。
【００９６】
以上の説明から明らかなように、本実施形態においては、少なくとも２重ガラス１１０により形成される案内通路１１１と、反転通路１４１とが互いに共同して前記（１）項における「案内通路」の一例を構成し、２重ガラス１１０のうちの後側ガラス１１６が前記（２）項における「仕切り部材」の一例を構成しているのである。
【００９７】
さらに、本実施形態においては、少なくとも２重ガラス１１０により形成される案内通路１１１が前記（８）項における「第１通路」の一例を構成し、反転通路１４１が同項における「第２通路」の一例を構成しているのである。
【００９８】
さらに、本実施形態においては、２重ガラス１１０が前記（８）項における「複数枚のガラス」の一例を構成すると同時に、同項における「２枚のガラス」の一例を構成しているのである。
【００９９】
さらに、本実施形態においては、反転通路１４１が前記（９）項における「変向通路」の一例を構成しているのである。
【０１００】
さらに、本実施形態においては、発射装置１０６が前記（１０）項における「発射装置」の一例を構成し、少なくとも２重ガラス１１０により形成される案内通路１１１が同項における「第１通路」の一例を構成しているのである。
【０１０１】
なお付言すれば、以上説明したいくつかの実施形態においてはいずれも、発射装置が遊技盤の下側に配置されているが、例えば、遊技盤の中段部またはほぼ上段部に配置するようにして本発明を実施することが可能である。さらに、発射装置を遊技盤自体に設置して本発明を実施することも可能である。
【０１０２】
以上、本発明の実施の形態のいくつかを図面に基づいて詳細に説明したが、これらは例示であり、前記［課題を解決するための手段および発明の効果］の欄に記載の態様を始めとして、当業者の知識に基づいて種々の変形、改良を施した他の形態で本発明を実施することが可能である。
【図面の簡単な説明】
【図１】本発明の第１実施形態に従うパチンコ機を示す正面図である。
【図２】図１のパチンコ機を示す横断面図である。
【図３】図１におけるＡ−Ａ断面図である。
【図４】図１におけるＢ−Ｂ断面図である。
【図５】本発明の第２実施形態に従うパチンコ機を示す正面図である。
【図６】図５におけるＣ−Ｃ断面図である。
【図７】図５におけるＤ−Ｄ断面図である。
【図８】図５におけるＥ−Ｅ断面図である。
【符号の説明】
１０，１００　本体部
２０　ガラス
２２，１１２　ガラス枠
３０，１０８　遊技盤
３２，１１８　遊技領域
３３　レール
４０，１０６　発射装置
５６　ガイドレール
６０，１４０　案内面
６２，１４１　反転通路
１１０　２重ガラス
１１４　前側ガラス
１１６　後側ガラス
【図１】
2004065702.tif 000003
【図２】
2004065702.tif 000004
【図３】
2004065702.tif 000005
【図４】
2004065702.tif 000006
【図５】
2004065702.tif 000007
【図６】
2004065702.tif 000008
【図７】
2004065702.tif 000009
【図８】
2004065702.tif 000010